(57)【特許請求の範囲】
【請求項１】
被測定液中に棒状の指示極と比較極とを浸漬し、これ等電極間に電圧を印加し、電極間に流れる電流に基づき前記被測定液中の遊離有効塩素濃度を測定する残留塩素計であって、前記指示極の外周に外筒を設け、この外筒をリング状のマグネットにより回転させる構成の残留塩素計において、前記リング状のマグネットの回転軸と指示極の軸心を一致させて配置したことを特徴とする残留塩素計。
【請求項２】
前記外筒はモータの回転軸に固定された内マグネットとこの内マグネットの外周に配置された外マグネットにより回転する構成とされ、前記内マグネットは防水ケースに収納され、外マグネットに対して水密状態とされていることを特徴とする請求項1記載の残留塩素計。
【請求項３】
前記指示極からのリード線を前記防水ケースの内側と内マグネットの外周との隙間から取出すように構成したことを特徴とする請求項１または２記載の残留塩素計。
【発明の詳細な説明】
【０００１】
【産業上の利用分野】
本発明は、残留塩素計に関し、部品点数を削減し、電極に不具合が生じた場合にも対処が容易な残留塩素計に関するものである。
【０００２】
【従来の技術】
従来、この種の技術としては、図３に断面図で示す構成のものが知られている。図３において、指示極１０の下部の外周には電極１１が埋設されており、この電極１１の上部には比較電極５０が設けられている。指示極１０の上部は軸受１２に支持された支持軸１３に支持されてカバー１９の中程の内周に固定されたベース１４にねじ１５により固定されている。
【０００３】
カバー１９のベース１４より下方には複数の貫通孔１９aが設けられており、上端にはケーブル取出口１９ｂが形成された上蓋１９ｃが水密に固定されている。５３は電極１１及び比較電極５０（対極）からのリード線である。
【０００４】
指示極１０の外周には複数のスリット１６が形成された外筒１７がねじ１８により固定されており、この外筒１７と指示極１０の間にはセラミックやガラスなどからなるビーズ２０が電極１１より上方まで入れられている。このビーズ２０は外筒１７の下部の内側に挿入されたメッシュホルダ２２とメッシュ２１により保持されている。
【０００５】
ベース１４の上には下部支持台３７および上部支持台２４に支持されたモー
タ２５、減速機２６が固定されており、減速機２６の軸２６ａに取付けられたマグネットホルダ２７に外マグネット２８が固定されている。この外マグネット２８の内側にはシール部材３０を介して内マグネット２９が配置され、この内マグネット２９の軸３２はベース１４上に設けられた固定部材３３を貫通しており、その端部にはギア３５およびこのギア３５と噛合うギア３６が固定されている。
【０００６】
４０a，b，ｃはシール部材として機能するＯ−リングである。
上記の構成において、カバー１９の上部室Ａは水密とされ、下部室Ｂには被測定液が満たされる。
【０００７】
この様な構成の残留塩素計において、図示しないケーブルを介してモータ２５に電力が供給されモータ２５の軸が回転する。この回転は減速機２６を介して適当な回転数に減速され、マグネットホルダ２７の内周に固定された外マグネット２８が回転する。この外マグネット２８が回転するとシール部材３０を介して内マグネット２９が回転し、軸３２が固定されたギア３５が回転する。
【０００８】
そしてギア３５と噛合うギア３６が回転しこのギア３６の下方に固定された外筒１７が回転する。この外筒１７の回転によりビーズ２０を含む被測定液が回転し指示極１０の下方に設けられた電極１１とビーズが当接して電極の汚れを防止する。なお、外筒１７の回転により被測定液が撹拌されてこの被測定液は外筒１７と指示極１０の間の被測定液は置換されるが、ビーズ２０はメッシュ２１とスリット１６の間を通り抜けないように設計されているので、ここから流出する恐れはない。
【０００９】
【発明が解決使用とする課題】
ところで、このような従来の残留塩素計においては、モータ２５の回転をギア３５，３６を介して伝達しているので部品点数が多くなり組み立てに時間を要する。また、指示極１０と比較極５０が一体に構成されているので構成が複雑になるとともに、一方の極に不具合が生じた場合に他方の極のリード線が邪魔になるなどの問題があった。
【００１０】
本発明は上記の問題点を解決するためになされたもので、部品点数を削減し、電極に不具合が生じた場合にも対処が容易な残留塩素計を実現することを目的とする。
【００１１】
【課題を解決するための手段】
上記目的を達成するために本発明は、請求項１においては、
被測定液中に棒状の指示極と比較極とを浸漬し、これ等電極間に電圧を印加し、電極間に流れる電流に基づき前記被測定液中の遊離有効塩素濃度を測定する残留塩素計であって、前記指示極の外周に外筒を設け、この外筒をリング状のマグネットにより回転させる構成の残留塩素計において、前記リング状のマグネットの回転軸と指示極の軸心を一致させて配置したことを特徴とする。
【００１２】
請求項２においては、請求項１記載の残留塩素計において、
前記外筒はモータの回転軸に固定された内マグネットとこの内マグネットの外周に配置された外マグネットにより回転する構成とされ、前記内マグネットは防水ケースに収納され外マグネットに対して水密状態とされていることを特徴とする。
【００１３】
請求項３においては、請求項１記載の残留塩素計において、
前記指示極からのリード線を前記防水ケースの内側と内マグネットの外周との隙間から取出すように構成したことを特徴とする。
【００１４】
【発明の実施の形態】
以下図面を用いて本発明を詳しく説明する。図１は本発明の実施形態の一例を示す断面構成図、図２は図１の指示極１０及び内外リングマグネットの拡大断面図である。図１において、６０は所定の厚みを有する円盤状のベースであり、このベースの上部外周には筒状の上側ケース６１の下端が挿入されてO−リング６２によりシールされ、ねじ６３により固定されている。
【００１５】
ベース６０の上には減速機２６を介してモータ２５が固定されている。また、ベース６０には厚み方向に貫通孔６０aが形成され、この貫通孔６０aに棒状に形成された比較極（対極）５０の上端がO−リング６０ｂを介して水密に挿入されている。
【００１６】
また、ベース６０の下部外周には筒状の下側ケース６４の上端が挿入され、ねじ６５により固定されている。また、この下側ケース６４には複数の貫通孔６４aが設けられている。上側ケース６１の上部はケーブル取出口６１ａを有する蓋６６で気密にシールされている。なお、ケーブル取出口６１ａからは指示極リード線１０ａや比較極（対極）リード線５０ａ，あるいは図示しない電源線等が水密に取出される。
【００１７】
減速機２６に一端が接続されたシャフト６８の他端にはマグネット支持金具６９が固定されている。このマグネット支持金具６９の外周にはリング状の内マグネット２９の内側が接着等により固定されており、この内マグネット２９の外周には上端に鍔７１ａを有する断面が凹状に形成された防水ケース７１が配置されている。鍔７１ａの上面はO−リング７０ｂを介してベース６０の下面に水密に固定されている。
【００１８】
防水ケース７１の外周にはこのケースの外周より僅かに（数ｍｍ）大きな内周を有するリング状の外マグネット２８が配置され、この外マグネット２８の外周にマグネットケース７３の内周が固定されている。防水ケース７１の底部中央には貫通孔７１aが形成され、この貫通孔７１ａにシャフト７４の一端が挿入されO−リング７０cにより気密にシールされている。
【００１９】
シャフト７４の下部にはパイプ７６の上端が接続され、下端には指示極１０が形成されている。パイプ７６とシャフト７４の中心には貫通孔７４ａが形成されておりこれらの貫通孔の中にパイプ７５が挿入されてパイプ７６とシャフト７４が固定されている。
【００２０】
指示極１０のリード線１０ａはこのパイプ７５の中を通って防水ケース７１の底部を介して引き出される。なお、リード線１０ａは内マグネット２９と防水ケース７１の内周の隙間を通って上側ケース６１内に引き出されるが、本実施例では防水ケース７１の内周にリード線を通し易くするための溝７９（図２参照）を設けている。
【００２１】
マグネットケース７３の下端にはシャフト７４、パイプ７６，指示極１０を覆って外筒１７が設けられている。防水ケース７１の下端外周とマグネットケース７３の下端内周の間にはベアリング７７が固定され、シャフト７４の外周とマグネットケース７３の下端内周の間にはベアリング７８が固定されている。
【００２２】
指示極１０の外周と外筒１７の内周の間で形成される空間には所定の量のビーズ２０が配置されており、ビーズ２０は外筒１７の下部に設けられたメッシュホルダ２２とメッシュ２１により支持されている。なお、図では省略するがビーズ２０の上方を含む外筒１７にはビーズの外径より小さな幅で複数のスリットが長手方向に直角に形成されている。
【００２３】
この様な構成の残留塩素計において、図示しないケーブルを介してモータ２５に電力が供給されモータ２５の軸が回転する。この回転は減速機２６を介して適当な回転数に減速され、防水ケース７１の内周に固定された内マグネット２９が回転する。この内マグネット２９が回転すると防水ケース７１を介して外マグネット２８が回転し、マグネットケース７３の下方に固定された外筒１７が回転する。
【００２４】
この外筒１７の回転によりビーズ２０を含む被測定液が回転し指示極１０の下方に設けられた電極（図示省略）とビーズ２０が当接して電極の汚れを防止する。なお、外筒１７の回転により被測定液が撹拌されてこの被測定液は外筒１７と指示極１０の間の被測定液は置換されるが、ビーズ２０はメッシュ２１とスリット１６の間を通り抜けないように設計されているので、ここから流出する恐れはない。
【００２５】
この様な構成によれば、ベース６０と上側ケース６１で形成された上方の空間Ａにはモータ２５、減速機２６が配置されると共に指示極１０と比較極５０からの信号の取出しのためのリード線１０ａ，５０ａの接続部があるが、この空間Ａは水密構造とされ、ケーブルを介して電気信号の授受を行うようにされているので、この残留塩素計を被測定液中に侵漬することができる。その結果、被測定液の深さに対応したリアルタイムの測定が可能となり、きめ細かな管理を行うことができる。
【００２６】
なお、本発明の以上の説明は、説明および例示を目的として特定の好適な実施例を示したに過ぎない。したがって本発明はその本質から逸脱せずに多くの変更、変形をなし得ることは当業者に明らかである。特許請求の範囲の欄の記載により定義される本発明の範囲は、その範囲内の変更、変形を包含するものとする。
【００２７】
【発明の効果】
以上説明したように本発明によれば、
指示極の外周に外筒を設けてこの外筒を回転させる構成の残留塩素計において、外筒を回転させるモータの回転軸と指示極の軸心を一致させて配置し、また、外筒をモータの回転軸に固定された内マグネットとこの内マグネットの外周に配置した外マグネットにより回転する構成とし、内マグネットは防水ケースに収納して外マグネットに対して水密状態とし、指示極からのリード線を防水ケースの内側と内マグネットの外周との隙間から取出すように構成した。
【００２８】
その結果、ギアが不要となり、部品点数を削減することができ、組み立て時間を短縮することができた。また、指示極と比較極を別体としたので一方の極に不具合が生じた場合に他方の極のリード線が邪魔になることがない。更に、残留塩素計を被測定液中に浸漬することができるので、被測定液の深さに対応したリアルタイムの測定が可能となりきめ細かな管理を行うことが可能な残留塩素計を実現することができた。
【００２９】
【図面の簡単な説明】
【図１】本発明の残留塩素計の実施態様の一例を示す図である。
【図２】図１の要部拡大説明図である。
【図３】従来の残留塩素計の構成図である。
【符号の説明】
１０  指示極
１０ａ  指示極リード線
１１  電極
１７  外筒
２０  ビーズ
２１  メッシュ
２２  メッシュホルダ
２５  モータ
２６  減速機
２８  外マグネット
２９  内マグネット
５０  較電極（対極）
６０  ベース
６１  上側ケース
６０ｂ，７０ｂ，７０ｃ  Ｏ−リング
６３，６５  ねじ
６４  下側ケース
６６  上蓋
６８，７４  シャフト
６９  マグネット支持金具
７１  防水ケース
７３  マグネットケース
７５，７６  パイプ
【図１】
0003896782.tif 000002
【図２】
0003896782.tif 000003
【図３】
0003896782.tif 000004